【事件の表示】
　特許第３１１９２４９号「パチンコ機」の請求項１、２に係る特許に対する特許異議の申立てについて、次のとおり決定する。
【結　論】
　訂正を認める。
　特許第３１１９２４９号の請求項１ないし２に係る特許を取り消す。
【理　由】
１．手続の経緯
　本件特許第３１１９２４９号の請求項１及び２に係る発明は、平成２年２月６日に出願された特願平２−２６９１２号の一部を平成１０年１０月１６日に新たな特許出願としたもので、平成１２年１０月１３日にその発明について特許の設定登録がなされ、その後、その特許について特許異議申立人　鈴木暁子より特許異議の申立てがなされ、取消理由が通知され、その指定期間内である平成１４年４月２２日に特許異議意見書及び訂正請求書が提出された後特許異議申立人より上申書が提出されたものである。
　
２．訂正請求について
２-1．訂正の内容
　特許権者が求めている訂正の内容は、以下の訂正事項（ａ）、（ｂ）のとおりである（下線部が訂正個所である）。
訂正事項（ａ）
　願書に添付した明細書の特許請求の範囲の請求項１に記載された「上方から落下する打球が前記回転体に直接衝突しないように障害部材を前記回転体の直前位置に配置すると共に、」を、「上方から落下する打球が前記回転体に直接衝突しないように障害部材を前記回転体の
作用範囲外の
であって前記風車軸を通る垂直線よりやや遊技盤の垂直中心線寄り
訂正事項（ｂ）
　願書に添付した明細書の段落０００４に記載された「上方から落下する打球が前記回転体に直接衝突しないように障害部材を前記回転体の直前位置に配置すると共に、」を、「上方から落下する打球が前記回転体に直接衝突しないように障害部材を前記回転体の
作用範囲外の
であって前記風車軸を通る垂直線よりやや遊技盤の垂直中心線寄り
２-2．訂正の適否
　訂正事項(a)によれば、「障害部材を前記回転体の直前位置に配置する」を「障害部材を前記回転体の作用範囲外の直前位置であって前記風車軸を通る垂直線よりやや遊技盤の垂直中心線寄りに配置する」と訂正する訂正事項（以下、「本件訂正事項」という）を含むものである。
　そして、本件訂正事項は、障害部材の配置位置を限定するものであって、該訂正事項は、特許請求の範囲の減縮を目的とするものと認められる。
　また、本件訂正事項に関し、願書に添付した明細書には、「図示の実施形態においては、障害釘３１は、前記風車軸２３ａ、２３ｂを通る垂直線「Ｌ」近傍の遊技盤９上に配置した構成となっている。」（段落【００１４】）と記載されていると共に、願書に添付した図面図１には、障害釘３１は、ランプ付き風車２１ａ、２１ｂの回転体２６ａ、２６ｂ、２７ａ、２７ｂの作用範囲外であって、該回転体２６ａ、２６ｂ、２７ａ、２７ｂ（特に、回転体２７ａ、２７ｂ）の直前位置に配置すること、また該障害釘３１は、風車軸２３ａ、２３ｂを通る垂直線Ｌ、Ｌよりやや遊技盤の垂直中心線寄りに配置すること、が図示されている。してみると、本件訂正事項は、願書に添付した明細書又は図面に記載された事項の範囲内のものであって、新規事項の追加に該当せず、また実質上特許請求の範囲を拡張し又は変更するものではない。
　訂正事項(b)は、上記特許請求の範囲を訂正することに伴い発明の詳細な説明の項を同様に訂正するものであって、明りょうでない記載の釈明を目的とし、新規事項の追加に該当せず、また実質上特許請求の範囲を拡張し又は変更するものではない。
２-3．むすび
　以上のとおりであるから、上記訂正は、特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議の申立てについて
３-1．本件発明
　平成１４年４月２２日付けで訂正された訂正明細書の請求項１及び請求項２に係る発明（以下、順に「本件発明１」、「本件発明２」という。）は、その特許請求の範囲の請求項１及び請求項２に記載された次のとおりのものである。
「【請求項１】　遊技盤上に設けられ、且つ落下する打球の落下方向を変化させる風車を備えたパチンコ機において、
　前記風車は、前記遊技盤に取り付けられる合成樹脂製の取付基板と、該取付基板に風車軸を介して回転自在に取り付けられる回転体と、から構成され、
　上方から落下する打球が前記回転体に直接衝突しないように障害部材を前記回転体の作用範囲外の直前位置であって前記風車軸を通る垂直線よりやや遊技盤の垂直中心線寄りに配置すると共に、上方から落下する打球が前記障害部材に衝突して左右に振り分けられた後に前記回転体に接触してその落下方向を調節せしめるようにしたことを特徴とするパチンコ機。
　【請求項２】　前記回転体を透光性のある合成樹脂で形成すると共に、該回転体を裏面側から照射する発光源が前記取付基板にセット化されて構成されていることを特徴とする請求項１記載のパチンコ機。」
　
３-2．引用刊行物記載の発明
（ａ）当審が平成１４年２月１２日付けで通知した取消理由において引用した、本件特許の出願前に頒布された刊行物である「パチンコ攻略マガジン２月号・１９９０（第２巻第３号通巻第１３号）」５２〜５３頁　株式会社双葉社、平成２年２月１日発行（異議申立人　鈴木　暁子提出の甲第５号証。以下、「刊行物１」という。）には、
（ａ-1）「釘構成は全体的に甘め。重要度では、役物入賞口周辺の釘、寄り釘の順になる。
　まず、役物入賞口では当然、生命釘Ａ、Ｂが重要で、広いほど良い（写真３）。そのほかでは、１の入賞コースを考えた場合、ＣＤ間も広いほうが良い。ただし、２のコースならＤ釘は上向き調整がプラスだ。両コースを生かすのなら矢印方向、つまり左上向き調整がベストといえる。また、Ｅ、Ｆ釘は、玉をこぼさず、かつ生命釘方向に誘導するためにも矢印調整が良い。
　寄り釘は、当然、玉を役物方向へ流すような調整でなければならない。ストロークによっても多少異なるが、ポイント釘は、山釘のＧ、谷釘のＨ〜Ｊ、そして、谷釘下のＫ釘。いずれも矢印方向の調整ならベスト。とくに、風車上のＩ、Ｊ、Ｋ釘は入念にチェックしよう。」（第５３頁）と記載されているとともに、第５３頁の掲載写真、特に「掲載写真３」には、谷釘（誘導釘）の下端のＩ釘とＪ釘との間であってその略中央下方に、かつ風車の回転体の作用範囲外の直前位置に「Ｋ釘」を配置したものが図示されている。ただこの「Ｋ釘」は、「掲載写真３」からみて、風車軸を通る略垂直線上に配置されているものと推定され、「掲載写真３」の記載からでは、風車軸を通る垂直線上を外れて遊技盤の垂直中心線寄りに配置されているとは明確には認めることができない。さらに、「掲載写真３」からみて「風車」は、遊技盤に取り付けられる取付基板と、該取付基板に風車軸を介して回転自在に取り付けられる回転体と、から構成されているものと認める。また、刊行物１記載の「スパイラルＩ」は、掲載写真及びその説明からみて「パチンコ機」と認められる。
　したがって、刊行物１には、
　「遊技盤上に設けられ、且つ落下する打球の落下方向を変化させる風車を備えたパチンコ機において、
　前記風車は、遊技盤に取り付けられる取付基板と、該取付基板に風車軸を介して回転自在に取り付けられる回転体と、から構成され、
　上方から落下する打球が前記回転体に先だって衝突するように『Ｋ釘』を前記回転体の作用範囲外の直前位置に配置したパチンコ機」
の発明が記載されている。
（ｂ）同じく取消理由において引用した、本件特許の出願前に頒布された刊行物である「実願昭６０−１６１３１３号（実開昭６２−７０５７１号）の願書に添付した明細書及び図面の内容を撮影したマイクロフィルム」（異議申立人　鈴木暁子提出の甲第２号証。以下、「刊行物２」という。）には、
（ｂ-1）「この考案は、パチンコ機の遊技盤面上で打球の流下方向に変化を与える風車に関する。」（明細書第１頁第１８行〜第１９行）こと、
（ｂ-2）「本考案は、上記に鑑みなされたもので、パチンコ機の遊技盤に取着する基板と、該基板の背面に取付けるケース部材と、上記基板の前面で回転自在な回転部材とを有し、上記ケース部材を区画壁により複数の区画室に分割し、各区画室には個別に点滅制御可能な照明部材を臨ませ、基板とケース部材との間に挟着した透光性をもつ放射部材に、前記回転部材を軸支したものである。」（同第２頁第１７行〜第３頁第４行）こと、
（ｂ-3）「本考案を図面の実施例について説明する。風車１は、概略すると回転部材２、基板３、放射部材４、透過部材５、ケース部材６及び照明部材７からなり、各部材は合成樹脂で形成してある。」（同第３頁第１４行〜第１８行）こと、
（ｂ-4）「ケース部材６は、ほぼ半球状の後面枠31を中央縦方向の区画壁32で左右に二分割し、区画室33、33を形成したものである。区画壁32の厚さは上記隙間30の幅ｌに対応している。後面枠31の周縁には前記基板３のボス17に対応する取着部34を設け、該取着部34には取着孔35を穿設する。また、後面枠31には区画壁32を挟んで左右対称にランプ挿入孔36及び放熱孔37をそれぞれ穿設する。さらに、ランプ挿入孔36、36の両側には円柱状の照明基板取付け用の脚38を突設する。照明部材７は、照明基板39上にランプ40等の発光素子を並設し、照明基板39の裏面でプリント配線したものである。」（同第６頁第５行〜第１７行）こと、が図面とともに記載されている。
（ｃ）同じく取消理由において引用した、本件特許の出願前に頒布された刊行物である「特開平１−１２１０７８号公報」（異議申立人　鈴木暁子提出の甲第３号証。以下、「刊行物３」という。）には、
（ｃ-1）「本発明は、パチンコ機の遊技板に設備される飾り風車に関する。」（第１頁右下欄第５行〜第６行）こと、
（ｃ-2）「近時、この単純な構成に変化を与え遊技者に視覚的な満足感を与えるため取付基板や羽根車を透明或は着色した半透明の合成樹脂を素材にして背後に備える照明ランプで照明し装飾効果を高めたものが提供されている」（第１頁右下欄第１７行〜第２頁左上欄第１行）こと、
（ｃ-3）「図面において１は取付基板、２は回転体、３は回転羽根である。取付基板１は略椀形に形成してあり、椀の縁に沿って鍔形の取付片４を有し、この片に設ける透孔４ａを通してビス５を遊技板６にネジ付けることで遊技板前面に固定できるようにしてある。この取付基板は底部中心部に後方に突き出す如く筒状の軸受部７を一体に有し、回転体２に備える第１の支軸８を貫き通してこの回転体を回転自由に支持している。」（第２頁左下欄第６行〜第１６行）こと、
（ｃ-4）「この実施例における取付基板１並びに回転体２、回転羽根３は着色した半透明の合成樹脂を材料に個別に成形し、取付基板１については取付片４に近い背面部から後方に向けて２本のステー12、12を延設し、このステーに照明ランプ13を備えたランプ基板14をネジ止めして一体に備えてある。」（第２頁右下欄第１２行〜第１８行）こと、が図面とともに記載されている。
（ｄ）同じく取消理由において引用した、本件特許の出願前に頒布された刊行物である「実願昭５９−１７９２９６号（実開昭６１−９４０７９号）の願書に添付した明細書及び図面の内容を撮影したマイクロフィルム」（異議申立人　鈴木　暁子提出の甲第４号証。以下、「刊行物４」という。）には、
（ｄ-1）「本考案は、この風車の作用に入賞の機能を加えて更に変化のある装置としたもので、……落下球の衝合による回転で飾り効果を奏すると共に、落下方向に変化をもたらし、更には入賞手段となるようにしたものである。」（明細書第２頁第９行〜第１５行）こと、
（ｄ-2）「これらの図面において１は図示しない遊技板前面に固定するための取付基板であり、２はこの基板の中央上部に開設した飛入口、３は取付基板の前面に植設する支軸４を支点に回転自由に軸承した回転駒である。取付基板１は肉薄の板状にして遊技板前面に張付き、３つの釘穴５を通して打込む釘で密着状に固定されるようになっている。」（同第３頁第１行〜第８行）こと、
（ｄ-3）「回転駒３を支持する支軸４は上記飛入口２の中央部直下に植設され、回転駒３は中心部をこの支軸４に軸承させて回転自由にしてある。」（同第３頁第１２行〜第１４行）こと、
（ｄ-4）「図中９は支軸４を起立せしめるため取付基板の背面に設けた筒状の支持体で、10は回転駒３の回転範囲内に開口させた透視窓、11はこの透視窓に臨ませたランプであり、12はランプの基板である。」（同第４頁第７行〜第１１行）こと、
（ｄ-5）「ランプ11は回転駒３の回転時に光と色の変化を加え装飾効果を増大させるための手段となるもので、回転駒を着色半透明の合成樹脂素材により形成すると、ランプの光と色を更に効果的なものとすることができる。」（同第５頁第５行〜第９行）こと、が図面とともに記載されている。
　
３-3．対比・判断
３-3-1．本件発明１について
　本件発明１と刊行物１記載の発明とを対比するに、刊行物１記載の発明における『Ｋ釘』は、本件発明１における「障害部材」に相当するものと認められるとともに、刊行物１記載の発明においても、上方から落下する打球が『Ｋ釘』に衝突して左右に振分けられた後風車の回転体に接触してその落下方向を調節されるものと認められる。したがって、上記両者は、
「遊技盤上に設けられ、且つ落下する打球の落下方向を変化させる風車を備えたパチンコ機において、
　前記風車は、前記遊技盤に取り付けられる取付基板と、該取付基板に風車軸を介して回転自在に取り付けられる回転体と、から構成され、
　上方から落下する打球が前記回転体に直接衝突しないように障害部材を前記回転体の作用範囲外の直前位置に配置すると共に、上方から落下する打球が前記障害部材に衝突して左右に振り分けられた後に前記回転体に接触してその落下方向を調節せしめるようにしたパチンコ機」
の点で一致し、下記（Ａ）、（Ｂ）の点で相違している。
（Ａ）本件発明１では、風車を構成する取付基板を合成樹脂製としたのに対し、刊行物１記載の発明では、風車を構成する取付基板の材料が不明である点、
（Ｂ）本件発明１では、障害部材を風車軸を通る垂直線よりやや遊技盤の垂直中心線寄りに配置したのに対し、刊行物１記載の発明では、障害部材に相当する『Ｋ釘』は、風車軸を通る略垂直線上に配置されているものと推定され、風車軸を通る垂直線よりやや遊技盤の垂直中心線寄りに配置したとは明確には認めることができない点。
（当審の判断）
　そこで、上記相違点（Ａ）及び（Ｂ）について検討する。
　相違点（Ａ）について
　刊行物２には、パチンコ機用風車において「風車１は、概略すると回転部材２、基板３、放射部材４、透過部材５、ケース部材６及び照明部材７からなり、各部材は合成樹脂で形成してある。」（上記（ｂ-3）参照）と記載され、また刊行物３には、パチンコ機の飾り風車において、「取付基板や羽根車を透明或は着色した半透明の合成樹脂を素材にして…」（上記（ｃ-2）参照）、「取付基板１並びに回転体２、回転羽根３は着色した半透明の合成樹脂を材料に個別に成形し」（上記（ｃ-3）参照）と記載され、風車を構成する取付基板を合成樹脂で成形すること、すなわち風車を合成樹脂製とすることは従来周知の技術である。
　してみると、前記周知の技術を刊行物１記載の風車に適用し、相違点（ａ）における本件発明１の構成とすることは当業者が容易に想到し得ることである。
　相違点（ｂ）について
　パチンコ機において、遊技盤上に植設した釘（障害釘）により打玉を誘導すること、また該打玉を特定方向に流すように釘を調整することは、パチンコ機において普通に行われている従来周知の技術であるとともに、遊技盤上に釘をどのように配置するかは、遊技者の遊技上での興趣、打玉を遊技盤上でどのように流すか、あるいは美観等を考慮して当業者が適宜決定し得る設計上の事項であると認められるから、刊行物１記載のパチンコ機において、本件発明１における「障害部材」に相当する『Ｋ釘』を、風車軸を通る略垂直線上の位置から多少遊技盤の垂直中心線寄りに配置し、風車軸を通る垂直線よりやや遊技盤の垂直中心線寄りに配置する程度のことは、当業者が容易に想到し得る設計上の事項と認められる。
　そして、本件発明１が奏する効果は、刊行物１記載の発明及び周知技術から予測できる程度のことであって格別顕著なものではない。
　したがって、本件発明１は、刊行物１記載の発明及び周知技術に基づいて当業者が容易に発明をすることができたものである。
３-3-2．本件発明２について
　本件発明２は、本件発明１において「前記回転体を透光性のある合成樹脂で形成すると共に、該回転体を裏面側から照射する発光源が前記取付基板にセット化されて構成されている」ことを限定するものである。
　本件発明２と刊行物１記載の発明とを対比すると、上記相違点（Ａ）及び（Ｂ）に加え、下記（Ｃ）の点でも相違している。
（Ｃ）本件発明２では、回転体を透光性のある合成樹脂で形成すると共に、該回転体を裏面側から照射する発光源が取付基板にセット化されて構成されているのに対し、刊行物１記載の発明では、風車を構成する回転体の材料が不明であると共に、該回転体を裏面側から照射する発光源を備えているか不明である点。
　そこで、上記相違点について検討するに、相違点（Ａ）及び（Ｂ）は、「（ウ）本件発明１について」における「（当審の判断）」に記載した理由により当業者が容易に想到し得たものである。
　次いで、相違点（Ｃ）についてみるに、刊行物３には、パチンコ機の飾り風車において、「遊技者に視覚的な満足感を与えるため取付基板や羽根車を透明或は着色した半透明の合成樹脂を素材にして背後に備える照明ランプで照明し装飾効果を高めたものが提供されている」（上記（ｃ-2）参照）、「この実施例における取付基板１並びに回転体２、回転羽根３は着色した半透明の合成樹脂を材料に個別に成形し、取付基板１については取付片４に近い背面部から後方に向けて２本のステー12、12を延設し、このステーに照明ランプ13を備えたランプ基板14をネジ止めして一体に備えてある。」（上記（ｃ-4）参照）と記載され、また刊行物４には、「図中９は支軸４を起立せしめるため取付基板の背面に設けた筒状の支持体で、10は回転駒３の回転範囲内に開口させた透視窓、11はこの透視窓に臨ませたランプであり、12はランプの基板である。」（上記（ｄ-4）参照）、「ランプ11は回転駒３の回転時に光と色の変化を加え装飾効果を増大させるための手段となるもので、回転駒を着色半透明の合成樹脂素材により形成すると、ランプの光と色を更に効果的なものとすることができる。」（上記（ｄ-5）参照）と記載され、風車を構成する回転体を透光性のある合成樹脂で形成すると共に、該回転体を裏面側から照射する発光源を取付基板にセット化して構成することは従来周知の技術である。
　してみると、上記周知の技術を刊行物１記載の風車に適用し、相違点（ｃ）における本件発明２の構成とすることは当業者が容易に想到し得ることである。
　そして、本件発明２が奏する効果は、刊行物１記載の発明及び周知技術から予測できる程度のことであって格別顕著なものではない。
　したがって、本件発明２は、刊行物１記載の発明及び周知技術に基づいて当業者が容易に発明をすることができたものである。
３-4．むすび
　以上のとおりであるから、本件発明１及び本件発明２は、特許法第２９条第２項の規定により特許を受けることができない。
　したがって、本件発明１及び本件発明２についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月１１日（２００３．８．１１）
【訂正の要旨】
審決（決定）の【理由】欄参照。
（５４）【発明の名称】
パチンコ機
（５７）【特許請求の範囲】
　【請求項１】　遊技盤上に設けられ、且つ落下する打球の落下方向を変化させる風車を備えたパチンコ機において、
　前記風車は、前記遊技盤に取り付けられる合成樹脂製の取付基板と、該取付基板に風車軸を介して回転自在に取り付けられる回転体と、から構成され、
　上方から落下する打球が前記回転体に直接衝突しないように障害部材を前記回転体の
作用範囲外の
であって前記風車軸を通る垂直線よりやや遊技盤の垂直中心線寄り
　【請求項２】　前記回転体を透光性のある合成樹脂で形成すると共に、該回転体を裏面側から照射する発光源が前記取付基板にセット化されて構成されていることを特徴とする請求項１記載のパチンコ機。
【発明の詳細な説明】
　【０００１】
　【発明の属する技術分野】
　本発明は、遊技盤上に設けられ、且つ落下する打球の落下方向を変化させる風車を備えたパチンコ機に関するものである。
　【０００２】
　【従来の技術】
　従来、遊技盤上に設けられ、且つ落下する打球の落下方向を変化させる風車の一例として、合成樹脂製の取付基板に風車軸を固着し、その風車軸に回転体を回転自在に軸支したものが市場に提供されている。しかして、上記のように構成される風車においては、落下する打球が回転体に衝突するとその衝撃が風車軸の基部に伝わり、繰り返してその衝撃を受けている間に、風車軸を固着する合成樹脂製の取付基板にヒビ割れが生じ、遂には、取付基板から風車軸及び回転体が脱落するというトラブルが生じることがあった。
　【０００３】
　【発明が解決しようとする課題】
　本発明は、上記した問題点に鑑みなされたもので、その目的とするところは、合成樹脂製の取付基板を介して遊技盤に取り付けられる風車が長期間に亘って破損することのないパチンコ機を提供することにある。
　【０００４】
　【課題を解決するための手段】
　上記した目的を達成するために、本発明においては、遊技盤上に設けられ、且つ落下する打球の落下方向を変化させる風車を備えたパチンコ機において、前記風車は、前記遊技盤に取り付けられる合成樹脂製の取付基板と、該取付基板に風車軸を介して回転自在に取り付けられる回転体と、から構成され、上方から落下する打球が前記回転体に直接衝突しないように障害部材を前記回転体の
作用範囲外の
であって前記風車軸を通る垂直線よりやや遊技盤の垂直中心線寄り
　【０００５】
　このように構成することにより、落下する打球が最初に障害釘に衝突してその衝撃力を弱められてから回転体に衝突するので、風車軸への衝撃が減少して風車軸を固着する合成樹脂製の取付基板への衝撃も弱くなるため、取付基板が破損するトラブルを抑制することができる。
　【０００６】
　【発明の実施の形態】
　以下、図面を参照して、本発明の実施形態について説明する。まず、実施形態が適用されるパチンコ機について図３を参照して説明する。図３は、パチンコ機の正面図である。
　【０００７】
　図において、パチンコ機１の額縁状に形成された前面枠２の開口には、金枠３が周設されている。そして、その金枠３には、ガラスを有するガラス扉４と前面板５とが開閉自在に設けられている。ガラス扉４の後方には、遊技盤９が配置され、前面板５の表面には、打球を貯留し、かつ図示しない打球発射位置に打球を供給する上皿６が固定されている。更に、前面枠２の下方には、打球発射装置の一部である操作ハンドル７、前記上皿６に貯留しきれなかった景品球を貯留する下皿８等が設けられている。
　【０００８】
　前記遊技盤９は、ほぼ正方形状をなし、その表面には、誘導レール１０によって区画された遊技領域１１が形成されている。遊技領域１１のほぼ中央には、組合せ表示装置１２が設けられ、該組合せ表示装置１２の下方に開閉部材を有する変動入賞装置１４が配設されている。組合せ表示装置１２は、該組合せ表示装置１２の下方及び斜め下方左右に設けられた始動入賞口１３ａ〜１３ｃに打球が入賞することによって、その表示を変化させ、一定時間経過後、あるいは図示しない押ボタンスイッチを遊技客が押圧したときに停止するようになっている。そして、組合せ表示装置１２に表示されている表示態様が所定の組み合せであるときには、大当り状態と判定されて変動入賞装置１４が一定時間（例えば、３０秒）あるいは所定個数（例えば、１０個）の入賞球が入賞するまで開放状態を維持する。また、変動入賞装置１４に誘導されて入賞した入賞球がその内部に形成された特別入賞口（図示せず）に入賞したときには、再度変動入賞装置１４が上記した条件で開放し、そのような開放状態を特別入賞口に打球が入賞する限り最高１０回継続するようになっている。
　【０００９】
　また、入賞領域１１には、上記した組合せ表示装置１２、変動入賞装置１４、始動入賞口１３ａ〜１３ｃ以外に、入賞領域として入賞口１５ａ，１５ｂ、１６ａ，１６ｂ、１７ａ，１７ｂが設けられ、大当り状態時に作動する大当りランプ１８ａ，１８ｂが設けられ、更に、打球の落下方向を変化させる風車１９ａ〜１９ｄ、ランプ付風車２１ａ，２１ｂ等が設けられている。また、遊技領域１１の最下方には、いずれの入賞口にも入賞しなかった打球が入るアウト口２０も形成されている。
　【００１０】
　ところで、上記した構成のうち、風車１９ａ〜１９ｄは、金属製又は合成樹脂製の回転体の中心に風車軸としての釘が貫通され、該釘を遊技盤９面に打ち込むことにより遊技盤９上に設けられ、ランプ付風車２１ａ、２１ｂは、本実施形態の要部を構成し、その構成は、図１に示されるように、遊技盤９の表面に取り付けられる取付基板２２ａ，２２ｂを有し、その取付基板２２ａ，２２ｂに軸支される風車軸２３ａ，２３ｂに２つの回転体、すなわち、第１回転体２６ａ，２６ｂと第２回転体２７ａ，２７ｂとが回転自在に設けられる構造である。
　【００１１】
　ここで、ランプ付風車２１ａ，２１ｂのより詳細な構造について図２を参照して説明する。図２には、一方のランプ付風車２１ａの断面図を示すが、他方のランプ付風車２１ｂの構造も全く同じであるので、その説明を省略する。しかして、ランプ付風車２１ａは、前記したように遊技盤９の表面に取り付けられる合成樹脂製の取付基板２２ａを有し、その取付基板２２ａの中央部に後方に向って突設された取付ボス２４ａに風車軸２３ａが遊嵌されるようになっている。風車軸２３ａの前方には、２つの回転体、すなわち第１回転体２６ａと第２回転体２７ａとが前後方向に重複して遊嵌されている。第１の回転体２６ａと第２の回転体２７ａは、それぞれ風車軸２３ａに対して独立して回転し得るようになっており、このため、打球が衝突したときに逆方向に回転する場合も生ずる。また、第１の回転体２６ａと第２の回転体２７ａは、透光性の合成樹脂で形成されている。風車軸２３ａの後端は、取付ボス２４ａの後端部から外に突出しており、その突出部にＥリング２５ａを係止することにより、第１回転体２６ａ及び第２回転体２７ａを取付基板２２ａに回転自在に軸支するようになっている。
　【００１２】
　また、取付基板２２ａの後面には、取着ボスを介してランプ基板２８ａが取り付けられ、そのランプ基板２８ａの前面にランプ２９ａが取り付けられている。ランプ２９ａは、図２において奥側の１つ（鎖線で示す）しか表示されていないが、取付ボス２４ａと対称位置にもう１つ設けられている。また、ランプ２９ａの先端は、取付基板２２ａに開設された挿入穴を貫通して取付基板２２ａの表面より僅かに前方に突出するようになっており、これにより第２の回転体２７ａの後面に臨むようになっている。このため、ランプ２９ａが点灯したときには、ランプ２９ａから発せられた光が透光性のある第２回転体２７ａと第１回転体２６ａとを透過するので、視覚的な装飾効果を高めることができる。なお、本実施形態においては、取付基板２２ａも透光性のある合成樹脂で形成されているので、ランプ２９ａ点灯時には、取付基板２２ａ自体も光を透過して装飾効果を高めるようになっている。また、ランプ基板２８ａの後面には、ランプ２９ａに電力を供給する配線３０ａがハンダ付されている。
　【００１３】
　上記した構造を有する風車１９ａ〜１９ｄとランプ付風車２１ａ，２１ｂのうち、特にランプ付風車２１ａ，２１ｂは、風車軸２３ａ，２３ｂの先端をハンマー等で叩いて傾斜させ、これにより回転体２６ａ，２６ｂ、２７ａ，２７ｂに傾きを与えて落下する打球を意図的に所定の方向に誘導する操作を行うことができない。何故ならば、回転体２６ａ，２６ｂ、２７ａ，２７ｂを遊嵌する風車軸２３ａ，２３ｂが合成樹脂製の取付基板２２ａ，２２ｂに軸支されているので、風車軸２３ａ，２３ｂに衝撃を与えると、それを支持している取付基板２２ａ，２２ｂを破壊してしまうからである。同様に打球が繰り返し回転体２６ａ，２６ｂ、２７ａ，２７ｂに衝突して風車軸２３ａ，２３ｂに衝撃を与えると、取付基板２２ａ，２２ｂを破壊してしまうおそれがある。
　【００１４】
　そこで、本実施形態においては、図１及び図２に示すように、ランプ付風車２１ａ，２１ｂの前記取付基板２２ａ，２２ｂの外周に沿った遊技盤９上であって逆ハ字状に植立される誘導釘３２によって誘導される打球の誘導方向に対向して障害部材としての障害釘３１を配置した構成を有するものである。図示の実施形態においては、障害釘３１は、前記風車軸２３ａ，２３ｂを通る垂直線「Ｌ」近傍の遊技盤９上に配置した構成となっている。これにより、ランプ付風車２１ａ，２１ｂの上部に袴状に植立された複数の誘導釘３２によって誘導された打球は、ランプ付風車２１ａ，２１ｂに衝突する前に障害釘３１に衝突する。
　【００１５】
　しかして、誘導された打球が最初に障害釘３１に衝突してその衝撃力を弱められてから回転体２６ａ，２６ｂ、２７ａ，２７ｂに衝突するので、風車軸２３ａ，２３ｂへの衝撃が減少して風車軸２３ａ，２３ｂを固着する合成樹脂製の取付基板２２ａ，２２ｂへの衝撃も弱くなるため、取付基板２２ａ，２２ｂが破損するトラブルを抑制することができる。また、障害釘３１は、通常の釘と同様にその頭部をハンマー等で叩いて容易に傾斜させることができるため、打球の流下方向を意図的に調節することができる。図示の実施形態の場合、障害釘３１を遊技盤９の中心寄りに傾斜させたときには、誘導釘３２によって誘導された打球は、遊技盤９の外周方向へ誘導される確率が高くなり、逆に障害釘３１を遊技盤９の外周寄りに傾斜させたときには、誘導釘３２によって誘導された打球は、遊技盤９の中心方向へ誘導される確率が高くなる。
　【００１６】
　上記した実施形態では、風車の上部直前に１本の障害釘３１が配置されたものを示したが、複数の障害釘を配置しても良い。
　【００１７】
　【発明の効果】
　以上、説明したところから明らかなように、本発明に係るパチンコ機は、風車を遊技盤に取り付けられる合成樹脂製の取付基板と該取付基板に風車軸を介して回転自在に取り付けられる回転体とから構成し、落下する打球が回転体に直接衝突しないように障害部材を配置したことにより、落下する打球が最初に障害釘に衝突してその衝撃力を弱められてから回転体に衝突するので、風車軸への衝撃が減少して風車軸を固着する合成樹脂製の取付基板への衝撃も弱くなるため、取付基板が破損するトラブルを抑制することができる。
【図面の簡単な説明】
　【図１】
　実施形態に係る風車が設けられる遊技盤の部分拡大図である。
　【図２】
　風車の構造を示す遊技盤の断面図である。
　【図３】
　風車を備えたパチンコ機の正面図である。
　【符号の説明】
　１　パチンコ機
　９　遊技盤
　２１ａ，２１ｂ　ランプ付風車（風車）
　２２ａ，２２ｂ　取付基板
　２３ａ，２３ｂ　風車軸
　２６ａ，２６ｂ　第１回転体
　２７ａ，２７ｂ　第２回転体
　３１　障害釘（障害部材）
　３２　誘導釘